(57)【特許請求の範囲】
【請求項１】
天井や梁下にこれから耐火シートを床面に垂下可能に設置し、火災等の必要時に、前記耐火シートを床面に垂下させ建築構造物等の内部空間を遮蔽する防火防煙シャッターにおいて、底面部を平坦に形成し上面部に前記耐火シートを通せるスリットを設けてなる中空形状重り内に、更に底面部を平坦に形成し上面部に前記耐火シートを通せるスリットを設けた内蔵型中空形状重りを設けて、２重構造の重りとし、前記２つのスリットに前記耐火シートの下端部を通し、該下部に抜け止め用のストッパーを設けたものであり、且つ前記中空形状重りと前記内蔵型中空形状重りとは、長手方向の互いに異なる位置でそれぞれ複数に分割されることを特徴とする防火防煙シャッター。
【請求項２】
天井や梁下にこれから耐火シートを床面に垂下可能に設置し、火災等の必要時に、前記耐火シートを床面に垂下させ建築構造物等の内部空間を遮蔽する防火防煙シャッターにおいて、底面部を平坦に形成し上面部に前記耐火シートを通せるスリットを設けてなる中空形状重り内に、前記耐火シートの下端部を通し、該下端部の袋状物に抜け止め用のストッパー機能を併せ持つ重りを取り付け、且つ該重りを前記袋状物より大きく、中空形状の重りの底面に接する袋状物にて更に覆い、２重構造の重りとしたことを特徴とする防火防煙シャッター。
【請求項３】
前記中空形状重りは、長手方向に複数に分割されることを特徴とする請求項２記載の防火防煙シャッター。
【発明の詳細な説明】
【０００１】
【発明の属する技術分野】
本発明は、天井や梁下に設置した耐火シートに重りを付け、火災等の必要時重りにより耐火シートを垂下させ、建築構造物等の内部空間を遮蔽し、火災の延焼や煙の拡散を防止する防火防煙シャッターに関するものである。
【０００２】
【従来の技術】
建築構造物等の内部で、火災時の煙や火炎が拡散するのを防止する手段として、ガラスクロス等の耐火シートを使用した防火防煙シャッターが知られている。この防火防煙シャッター５０の基本構造は、図８に示すように、天井や梁下に重り５１を付けた耐火シート５２を床面に垂下可能に設置し、火災等の必要時、例えば、煙や所定温度以上の室温を検知したりあるいは手動により、天井や梁下から耐火シート５２を重り５１により床面に垂下させ建築構造物等の内部空間を遮蔽するものである。そして、この耐火シート５２の重り５１には、更に火災時に発生する風圧により耐火シート５２のまくれ上がりを防止している。
【０００３】
更に、遮蔽性を向上させたものとして、図９に示すように、上記耐火シート５２の下端部を袋状５３とし、その中に重り５１を収納し、更にこれらを耐火シート５２の袋状物５４により覆ったものが知られている（特開平９−２０３２８１号公報）。これによれば、袋状物５４と床面５５とが密着し、仮に火災時の風圧と高温とにより、耐火シート５２が煽られ、更に重り５１が変形しても、袋状物５４と床面５５との間に隙間が発生せず、遮蔽状態を保つことができる。
【０００４】
また、この耐火シート５２に取り付けられた重り５１は、通常１本ものの丸棒やフラットバーが用いられる。しかしながら、特開平９−２０３２８１号公報や特開平１０−３３７０５号公報には分割した重りが開示されている。前者には、図８の耐火シート５２の下端を袋状にし、その中に分割した丸棒の重りを挿入する記載がある。また、後者の防火防煙シャッター５０ａは、逃げ遅れた人が重り５６と共に耐火シート５２を持ち上げかい潜らなくてもよいように、図１１の耐火シート５２にスリット部５７が垂直に設けられ、スリット部５７を押し広げ避難できるようになっているから、それに応じて重り５６は分割されている。すなわち、ここでの重り５６は、耐火シート５２のスリット部５７に隣接する左右部分を除いて、耐火シート５２の下端にメインウエイトバー５８、５９が水平方向に取り付けられ、左右部分にサブウエイトバー６０、６１が取り付けられている。避難した後はサブウエイトバー５７、５８の重力により、スリット部５３が閉じ、以後火災の延焼や煙の拡散を防止するというものである。
【０００５】
【発明が解決しようとする課題】
しかしながら、図９の従来例では、より強い風圧や火炎圧が加わると、図１０で示すように、袋状物５４が変形し、遮蔽状態を保つことができ難く、火災の延焼や煙の拡散を防止することができなくなる。また、最近、図書館やホール、倉庫や工場のような広い空間に配置される防火防煙シャッターでは、図８及び図１１における長さ寸法Ｌが１０ｍ以上に及ぶものが要求されることがある。このような防火防煙シャッターでは、当然のことながら重りも長いものが要求される。しかしながら、図８の防火防煙シャッター５０における重り５１の構造では、設置場所に搬入すること自体難しく、その取り付け工事も容易ではない。更に、高温に晒されると重り５１が変形し、長尺物であるため変形量が大きくなり耐火シート５２と床面との間に隙間が生じ、火災の延焼や煙の拡散を有効に防止することが困難になる。
【０００６】
従って、本発明の目的は、広い空間に配置される長さ寸法の大きいものであっても容易に設置でき、しかも床面に多少の傾斜があっても火災による風圧や温度上昇に伴う遮蔽状態の保持力低下を防止して、火災の延焼や煙の拡散を有効に防止できる防火防煙シャッターを提供することにある。
【０００７】
【課題を解決するための手段】
本発明者らは、上記目的を達成するため鋭意研究した結果、防火防煙シャッターにおいて、底面部を平坦に形成し上面部に耐火シートを通せるスリットを設けた中空形状重りに、更に略相似形の内蔵型中空形状重りを設けて２重構造の重りとし、各スリットに耐火シートの下端部を通し、該下端部に抜け止めのストッパーを設け、且つ中空形状重りと内蔵型中空形状重りとを長手方向に複数に互いに異なる位置で分割すれば、長さ寸法の大きいものでも容易に設置でき、しかも床面に多少の傾斜があっても火災による風圧や温度上昇に伴う変形に抗し易くなることを見出し、本発明を完成するに至った。
【０００８】
すなわち、請求項１の発明は、天井や梁下にこれから耐火シートを床面に垂下可能に設置し、火災等の必要時に、前記耐火シートを床面に垂下させ建築構造物等の内部空間を遮蔽する防火防煙シャッターにおいて、底面部を平坦に形成し上面部に前記耐火シートを通せるスリットを設けてなる中空形状重りの内に、更に底面部を平坦に形成し上面部に前記耐火シートを通せるスリットを設けた内蔵型中空形状重りを設けて、２重構造の重りとし、前記２つのスリットに前記耐火シートの下端部を通し、該下部に抜け止め用のストッパーを設けたものであり、且つ前記中空形状重りと前記内蔵型中空形状重りとは、長手方向の互いに異なる位置でそれぞれ複数に分割されることを特徴とする防火防煙シャッターを提供するものである。かかる構成を採ることにより、防火防煙シャッターは床面に多少の傾斜があっても、該中空形状重りとシート下端部の抜け止め用ストッパーとの間隔の範囲内で、耐火シートに余計な負担（シワ等）を与えずに床面の傾斜に合わせて隙間無く降下させることができる。また、火災の高温で熱膨張を受けても、中空形状重りと内蔵型中空形状重りは長手方向の互いに異なる位置で適切な長さに切り分けているから、反りの量を小さくでき、隙間の発生を防止できる。また、風圧等を受け、中空形状重りが水平方向に撓むことにより目地が広がっても、該目地部には内蔵型中空形状重りが現れるから、隙間の発生を極力防止できる。
【００１０】
また、請求項２の発明は、天井や梁下にこれから耐火シートを床面に垂下可能に設置し、火災等の必要時に、前記耐火シートを床面に垂下させ建築構造物等の内部空間を遮蔽する防火防煙シャッターにおいて、底面部を平坦に形成し上面部に前記耐火シートを通せるスリットを設けてなる中空形状重り内に、前記耐火シートの下端部を通し、該下端部の袋状物に抜け止め用のストッパー機能を併せ持つ重りを取り付け、且つ該重りを前記袋状物より大きく、中空形状の重りの底面に接する袋状物にて更に覆い、２重構造の重りとしたことを特徴とする防火防煙シャッターを提供するものである。かかる構成を採ることにより、風圧が強くなりスリットから風が進入したとしても、中空形状重り内で袋状物は大きく広がり、且つ袋状物は中空形状重りの底面に余裕を持って接しているから、底部に隙間が発生することはない。
【００１１】
また、請求項３の発明は、前記中空形状重りは、長手方向に複数に分割される防火防煙シャッターが提供される。かかる構成を採ることにより、火災による高熱によって生じる変形量を減らし、更に風圧により分割部分の目地が開いたとしても、袋状物があるから防災上問題となる隙間が発生することはない。
【００１２】
【発明の実施の形態】
以下、本発明の実施の形態における防火防煙シャッタを図１〜図７に基づいて詳述する。図１は本発明の実施の形態である防火防煙シャッターを示す斜視図、図２は本発明の実施の形態である防火防煙シャッターの設置状態を示す横断面図、図３は本発明の実施の形態である防火防煙シャッター下部を拡大した斜視図である。図において、１は防火防煙シャッターを示し、この防火防煙シャッター１は、天井や梁下に設置され、火災等の必要時に、自重あるいは重りにより天井や梁下から耐火シート２がガイド３により導かれ床面４に垂下して建築構造物等の内部空間を遮蔽する。この耐火シート２は不図示の巻取装置により巻き上げ、巻き下げられるものである。防火防煙シャッター１は、その耐火シート２の下端部に次のような重りＡを取り付けている。すなわち、この重りＡは、底面部５を平坦に形成し上面部６に耐火シート２を通せるスリット７を設けた中空形状重り８と、この中に、更にこれと略相似形で、底面部１０を平坦に形成し上面部１１に耐火シート２を通せるスリット１２を設けた内蔵型中空形状重り１３とを設けて２重構造としたものである。そして、各スリット７、１２に耐火シート２の下端部を通し、該下端部に抜け止めのストッパー１４を設けることで、耐火シート２に上記重りＡを取り付けている。
【００１３】
また、この重りＡは、中空形状重り８及び内蔵型中空形状重り１３が、長手方向に複数に互いに異なる位置で分割されている。すなわち、この分割重りは、中空形状重り８はＢ位置で分割され、内蔵型中空形状重り１３はＣ位置で分割される。従って、長尺の重りＡは短いものの集合体となるから、火災による高温によって生じる分割後の個々の中空形状重り８ａ、８ｂ・・及び内蔵型中空形状重り１３ａ、１３ｂ・・の変形量を小さくでき、更に、分割位置であるＢ、Ｃ位置から中空形状重り８及び内蔵型中空形状重り１３が撓むが、分割位置のＢ、Ｃ位置は異なるから撓み量が少なくなり、隙間が発生しない。
【００１４】
前記耐火シート２は、ガラス繊維の織布やシリカクロス等の不燃、耐火材料により構成され、この耐火シート２の下端部に取り付けられた中空形状重り８及び内蔵型中空形状重り１３は、鋼板を曲げ加工して作製される。上記したスリット７、１２の幅は、あまり広いと隙間となり遮蔽状態を保持できなくなるから、耐火シート２を容易に通すことができる程度、例えば、耐火シート２の厚みの約２倍程度に開けられている。また、耐火シート２の下端部は袋２０が形成され、その袋２０内に丸棒状の前記ストッパー１４を挿着している。そして、重りＡが床面４に着座している状態では、耐火シート２のストッパー１４、中空形状重り８及び内蔵型中空形状重り１３は非当接状態にあり、耐火シート２が前記巻取装置により巻き上げられると、まずストッパー１４と内蔵型中空形状重り１３とが係合状態になり、次いで内蔵型中空形状重り１３と中空形状重り８とも当接状態になって、重りＡが床面４から離座する（図４参照）。
【００１５】
なお、この重りＡは、内蔵型中空形状重り１３が無くてもよい。しかし、耐火シート２は中空形状重り８のスリット７を通るだけになるから、中空形状重り８が変形してスリット７が広くなったりすると、それによる隙間が生じることになり、２重構造の重りＡに比べて、遮蔽効果が若干低下する。
【００１６】
次に、上記実施の形態における防火防煙シャッター１の使用方法を説明する。まず、先に耐火シート２の下端部にある袋２０にストッパー１４を装着し、個々の中空形状重り８ａ、８ｂ・・内に個々の内蔵型中空形状重り１３ａ、１３ｂ・・を挿入し、個々に挿入した中空形状重り及び内蔵型中空形状重り８ａ及び１３ａ、８ｂ及び１３ｂ・・をストッパー１４に順次嵌めると共に、スリット７、１２に耐火シート２を通して、耐火シート２の下端部に分割重りを装着する。
【００１７】
次に、建築構造物等の内部空間を遮蔽する位置の天井や梁下に防火防煙シャッター１を設置する。この場合、中空形状重り８の底面部５が平坦であるから天井や梁下にスッキリした状態で設置できることになる（図５の（ａ））。そして、火災が発生すると、図示しない巻取装置のロック状態が自動あるいは手動で解除され、分割重りＡの重さにより設置場所の天井や梁下から耐火シート２が垂下して建築構造物等の内部空間を遮蔽する。この状態では中空形状重り８が床面４（図４参照）に密着して、閉鎖状態にあるから、火炎や煙を遮蔽している。また、仮に床面４が傾斜していても、ストッパー１４が分割重りＡ内で移動できる範囲内で対応できるから、耐火シート２に余計な負担（シワ等）を与えずに床面の傾斜に合わせて隙間無く設置することができる（図５の（ｂ）及び（ｃ））。
【００１８】
火災が進行して高温とそれに伴う風圧が耐火シート２及び重りＡを襲っても、底面部５が平坦な中空形状重り８により、床面４との間に隙間が発生しずらく、中空形状重り８及び内蔵型中空形状重り１３が変形しても、高温による個々の中空形状重り８ａ、８ｂ及び内蔵型中空形状重り１３ａ、１３ｂの変形量を小さくでき、更に、風圧により分割位置のＢ及びＣ位置から中空形状重り８及び内蔵型中空形状重り１３が撓むが、Ｂ及びＣ位置が異なるから撓み量が少なくなり、防災上問題となような隙間が発生することはない。
【００１９】
従って、建築構造物等の内部空間の遮蔽状態を維持し、火炎や煙が遮蔽される。火災が鎮火したあと、防火防煙シャッター１はその変形、撓りが少ない構造であるから、被害が少ない状態が予測され、建物全体の被害も少なければ、防火防煙シャッター１を再び使用できる。
【００２０】
図６及び図７は本発明の他の実施の形態を示す防火防煙シャッター１ａであり、この防火防煙シャッター１ａと図１〜図５に示す防火防煙シャッター１との相違点は、内蔵型中空形状重り１３の代わりに、耐火シート２の下端部に抜け止め用のストッパー機能を併せ持つ１本ものの重りバー２１を取り付け、且つこの重りバー２１を袋状物２２にて覆った内蔵型ソフト中空重り２３にした点にある。なお、中空形状重り８は、長手方向に複数に分割されていても良く、内蔵型ソフト中空重り２３は、分割した内蔵型中空形状重り１３と同じ機能を有し、また、重り２１が分割されていてもよい。袋状物２２は重りバー２１が中空形状重り８の上面に当接する状態であっても中空形状重り８の底面に充分な余裕を持って接するほどの大きな袋形状とするのがよい。かかる構造により、風圧が強くなりスリット７から風が進入したとしても、中空形状重り８内で袋状物２２は大きく広がり、且つ袋状物２２は中空形状重り８の底面に余裕を持って接しているから、底部に隙間が発生することはない。また、袋状物２２が大きく広がっても中空形状重り８によって押さえられ、防火防煙シャッターの機能は維持される。その他の構成及び作用は図１〜図５に示す防火防煙シャッター１と略同様であるため、図面に符号を付してその説明を省略する。
【００２１】
以上、本発明の実施形態を説明したが、具体的な構成はこれに限定されず、例えば、耐火シートに避難扉を組み込む等、本発明の趣旨を逸脱しない範囲内での変更、追加は本発明の範囲内である。
【００２２】
【発明の効果】
請求項１の発明によれば、防火防煙シャッターは床面に多少の傾斜があっても、該中空形状重りとシート下端部の抜け止め用ストッパーとの間隔の範囲内で、耐火シートに余計な負担（シワ等）を与えずに床面の傾斜に合わせて隙間無く降下させることができる。従って、火災による風圧や温度上昇に伴う遮蔽状態の保持力低下を防止して、火災の延焼や煙の拡散を防止できる。また、火災の高温で熱膨張を受けても、中空形状重りと内蔵型中空形状重りは長手方向の互いに異なる位置で適切な長さに切り分けているから、反りの量を小さくでき、隙間の発生を防止できる。また、風圧等を受け、中空形状重りが水平方向に撓むことにより目地が広がっても、該目地部には内蔵型中空形状重りが現れるから、隙間の発生を極力防止できる。また、火災による風圧や温度上昇に伴う遮蔽状態の保持力低下をより強力に防止するから、なお一層火災の延焼や煙の拡散を防止できると共に、広い空間に配置される長さ寸法の大きいものであっても容易に設置できる。
【００２４】
請求項２の発明によれば、火災による高熱によって生じる変形量を減らし、更に風圧により分割部分の目地が開いたとしても、袋状物があるから防災上問題となる隙間が発生することはない。従って、火災による風圧や温度上昇に伴う遮蔽状態の保持力低下をより強力に防止するから、なお一層火災の延焼や煙の拡散を防止できる。
【００２５】
請求項３の発明によれば、火災による高熱によって生じる変形量を減らし、更に風圧により分割部分の目地が開いたとしても、袋状物があるから防災上問題となる隙間が発生することはない。従って、広い空間に配置される長さ寸法の大きいものであっても容易に設置できる。
【図面の簡単な説明】
【図１】本発明の実施の形態である防火防煙シャッターを示す斜視図である。
【図２】本発明の実施の形態である防火防煙シャッターの設置状態を示す横断面図である。
【図３】本発明の実施の形態である防火防煙シャッター下部を拡大した斜視図である。
【図４】本発明の実施の形態である防火防煙シャッターの設置状態を示す断面図である。
【図５】本発明の実施の形態である防火防煙シャッターのやや傾斜する床面への設置状態を模式的に示した図である。
【図６】本発明の他の実施の形態である防火防煙シャッターを示す斜視図である。
【図７】本発明の他の実施の形態である防火防煙シャッターの設置状態を示す断面図である。
【図８】従来例を示す斜視図である。
【図９】従来例を示す断面図である。
【図１０】従来例を示す断面図である。
【図１１】従来例を示す斜視図である。
【符号の説明】
１、１ａ、５０、５０ａ    防火防煙シャッター
２、５２              耐火シート
３                    ガイド
４、５５              床面
５、１０              底面部
６、１１              上面部
７、１２              スリット
８、８ａ、８ｂ        中空形状重り
１３、１３ａ、１３ｂ  内蔵型中空形状重り
１４                  ストッパー
２０                  袋
２１                  重りバー
２２、５４            袋状物
２３                  内蔵型ソフト中空重り
５１、５６、Ａ        重り
５３                  袋状
５７                  スリット部
５８、５９            メインウエイトバー
６０、６１            サブウエイトバー
Ｂ、Ｃ                分割位置
【図１】
0003740332.tif 000002
【図２】
0003740332.tif 000003
【図３】
0003740332.tif 000004
【図４】
0003740332.tif 000005
【図５】
0003740332.tif 000006
【図６】
0003740332.tif 000007
【図７】
0003740332.tif 000008
【図８】
0003740332.tif 000009
【図９】
0003740332.tif 000010
【図１０】
0003740332.tif 000011
【図１１】
0003740332.tif 000012